(57)【特許請求の範囲】
【請求項１】
細いパイプ材によって正面視略縦長の二等辺三角形をなすように底辺部とその両端から立ち上がった２本の斜辺部とを有して形成した主脚部材であって前記底辺部を軸として回転するキャスタとなる複数の車輪を設けて家具の左右側の一側に配置される主脚部材と、前記車輪をころがり回転させて前記家具を移動させるためのハンドルを設けて前記家具の他側に配置される第2主脚部材を備えたことを特徴とするキャスタ付き家具。
【請求項２】
主脚部材の底辺部は車輪の位置で分断され、パイプ材の分断部分を、該部分に車輪を介在させて接続することにより前記底辺部が連続している外観を呈する請求項１に記載のキャスタ付き家具。
【請求項３】
主脚部材の底辺部が有する車輪は、軸付き車輪であってその軸が分断した底辺部のパイプ材の切断開口部に軸受部材を介して又は介さないで嵌められ、当該軸をビス止め等により前記パイプ材に固定した請求項２に記載のキャスタ付き家具。
【請求項４】
請求項１〜３のいずれかに記載の主脚部材と、該主脚部材から上方に延長してホワイトボード等のパネル体の一側辺に対応して形成した一側サイドフレームと、該サイドフレームの上端を水平に曲げそこから水平方向に延長し前記パネル体の上部辺に対応して形成したアッパーフレームと、該アッパーフレームの末端部を垂直に曲げそこから垂下して前記パネル体の他側辺に対応して形成した他側サイドフレームと、該他側サイドフレームの下端部に接続した前記主脚部材における底辺部を有しない形態で前記主脚部材が有する車輪をころがり回転させて家具を移動させるためのハンドルを設けた第２主脚部材とからなる脚付きフレームを備えたキャスタ付き家具。
【請求項５】
主脚部材，第２主脚部材と左右のサイドフレーム下端の接続部、前記サイドフレームの上端曲り部とアッパーフレームの両端の接続部は、対向したパイプ材の接続部の内部に接続用芯材を嵌め、該芯材をビス止め等の固定手段で前記パイプ材に固定した請求項４に記載のキャスタ付き家具。
【請求項６】
家具は、ホワイトボードや掲示板等のパネル家具、或は、スクリーンやパーティション等の面状家具である請求項５に記載のキャスタ付き家具。
【発明の詳細な説明】
【技術分野】
【０００１】
本発明は、斬新な取付形態のキャスタを備えたキャスタ付き家具に関する。
【背景技術】
【０００２】
家具のキャスタは、従来から家具の移動を容易にする目的で、椅子、テーブル、衝立、パネル家具など様々な家具に適用されている。
【０００３】
従来の家具に取付けられているキャスタは、車輪を水平軸で支持した車輪受け（ブラケットともいう）に縦向きのキャスタ軸を設けた構造のものが一般的であり、前記キャスタ軸を家具構成部材の下端部に取付けた設置形態が殆んどである。
【０００４】
ところで、軽量の細いパイプ材を用いて様々な家具に適用できるようにデザインされた脚装置や該脚装置を一体的に備えた家具フレームでは、上記のキャスタ軸を備えたキャスタを取付けることは出来ない。キャスタ軸がパイプ材より太いためキャスタ軸でパイプ材へ取付ることが出来ないからである。
しかし、細いパイプ材による脚装置やその脚装置を備えた家具フレームであっても、
移動用の車輪（キャスタ）を設けることが出来れば、公知のキャスタ付き家具と同様に移動可能な家具やネスティング可能な家具に展開でき、例えばオフィス家具の分野において斬新な取付形態のキャスタを備えている故に家具全体として見ても斬新なデザインの家具を提供できる。
【発明の概要】
【発明が解決しようとする課題】
【０００５】
そこで本発明は、細いパイプ材をいた家具用の脚装置であっても移動用のキャスタ（車輪）を斬新な取付形態で当該脚装置に設けたキャスタ付き家具を提供することを課題とする。また本発明では、前記キャスタの取付形態を採ることによってホワイトボード等のパネル体を具備したパネル家具用の脚付きフレームを提供することもできる。
【課題を解決するための手段】
【０００６】
上記課題を解決することを目的としてなされた本発明キャスタ付き家具の構成は、  細いパイプ材によって正面視略縦長の二等辺三角形をなすように底辺部とその両端から立ち上がった２本の斜辺部とを有して形成した主脚部材であって前記底辺部を軸として回転するキャスタとなる複数の車輪を設けて家具の左右側の一側に配置される主脚部材と、前記車輪をころがり回転させて前記家具を移動させるためのハンドルを設けて前記家具の他側に配置される第2主脚部材を備えたことを特徴とする。上記二等辺三角形の底辺部と斜辺部の比は、一例として１：１．２〜１：
１．３程度がデザイン上、並びに強度確保上も好ましいが、本発明はこの数値に限られるものではない。
【０００７】
本発明では、上記脚装置における垂直部を含む主脚部材を利用して脚付きフレームを形成し、このフレームでホワイトボード等のパネル体を支持してパネル家具を形成できる。
【０００８】
すなわち、前記脚付きフレームは、前述の主脚部材と、その垂直部を上方に延長してホワイトボード等のパネル体の一側辺に対応した一側サイドフレームと、該サイドフレームの上端を水平に曲げて水平方向に延長し前記パネル体の上部辺に対応したアッパーフレームと、該アッパーフレームの延長先端を垂直に曲げそこから垂下して前記パネル体の他側辺に対応した他側サイドフレームと、該サイドフレームの下端部に接続した垂直部を有する第２主脚部材とを備えた構成であり、前記主脚部材の底辺部には、当該底辺部を軸とする２個の車輪が設けられている。ここで、第2主脚部材は、前記主脚部材において２等辺三角形の底辺部を欠いた脚部材をいう。
【０００９】
上記脚付きフレームにおいては、主脚部材とその垂直部から延長した一側サイドフレームを第１の支柱部、他側サイドフレームとその下端部に接続された垂直部と該垂直部を上端に備えた第２主脚部材又は主脚部材を第２の支柱部、アッパーフレームを梁部と言うこともある。
【００１０】
上記脚付きフレームのサイドフレームとアッパーフレームには、前記脚装置に用いた細いパイプ材と同径乃至略同径のパイプ材を用いている。前記主脚部材の底辺部に設けた２個の車輪は、パネル家具の移動用キャスタである。また、第２主脚部材における２本の斜辺部の上部には、斜辺部の結合部材であって移動時のハンドルとなる部材が、当該斜辺部のパイプ材を横断する方向で設けられている。
【００１１】
本発明においては、上端に垂直部を有する２本の斜辺部で形成される第２主脚部材を、テーブル天板の左右側部を下面から支持する脚装置として備えたテーブルを形成することが出来る。ここで前記天板を支持した第２主脚部材の当該天板の前方側（又は後方側）に位置した斜辺部の下端部を、水平部材（天板の長辺に平行なパイプ材）で接続一体化し、この水平部材に、前記段落０００６で述べた移動用の車輪を付けた形態とすることができる。この車輪は、テーブル本体の移動時に、車輪の無い側の天板の縁を手で持上げてテーブル本体を移動させるためのものである。
【発明の効果】
【００１２】
本発明は、細いパイプ材によって底辺部と２本の斜辺部から成る縦長の二等辺三角形状に形成された主脚部材を脚装置として備えた家具において、前記主脚部材の底辺部にその底辺部を軸とする２個の車輪を、当該家具の移動用のキャスタとして設けたから、従来に見られないキャスタの取付態様の斬新なデザインの家具を提供することが出来る。
【図面の簡単な説明】
【００１３】
【図１】キャスタを取付けた主脚部材を有する脚付きフレームによるホワイトボード装置の斜視図。
【図２】図１のホワイトボード装置の右側面図。
【図３】図１のホワイトボード装置の縦断面図。
【図４】主脚部材への車輪の取付構造を説明するための断面図。
【図５】図１の脚付きフレームにおけるアッパーフレームとサイドフレームのパイプ材同士の接合構造を説明するための要部の斜視図。
【図６】キャスタを取付けた主脚部材を有する脚付きフレームでスクリーン又はパーティションを形成した例の斜視図。
【図７】第２主脚部材によるテーブルの脚装置にキャスタを取付けた例の斜視図。
【図８】図７のテーブルの側面図。
【発明を実施するための形態】
【００１４】
次に本発明の実施の形態例について、図を参照して説明する。
図１〜図３は、脚装置の主脚部材にキャスタの車輪を設けた脚付きフレームＦＬを用いて形成したホワイトボード装置である。
図示したホワイトボード装置において、１Ｒは、正面視略縦長２等辺三角形状を呈する主脚部材で、底辺部１ａと該底辺部１ａの両端から立ち上がった左右の斜辺部１ｂ，１ｃと該斜辺部１ｂ，１ｃの上端から立ち上がった短めの垂直部１ｄ，１ｅとからなる。１Ｌは、上記主脚部材１Ｒの構成から底辺部１ａを除去した形の第２主脚部材で、これらの脚部材１Ｒ，１Ｌは前記ホワイトボード装置を自立させる左右の脚を形成している。
【００１５】
前記脚部材１Ｒには、移動用の２個の車輪１５が底辺部１ａを軸として回転するように当該底辺部に設けられている。すなわち、パイプ材の底辺部１ａは車輪１５の位置で分断されるが、パイプ材の分断部分に車輪１５を介在させた接続によって外見上パイプ材は連続しているように見える。つまり上記分断部分は露出しないように隠されるので、一本のパイプ状フレームに車輪１５が突き刺さったような概観となる。なお、車輪１５は少なくても２個もうければ足りるが、２個以上であってもよい。
前記車輪１５の取付態様の例を図４により以下に説明する。
前記車輪１５は、車輪１５の中心部に備える軸受１５ａに設けた車輪の両面に突出した軸１５ｂを有する軸付き車輪である。
【００１６】
前記車輪１５が取付けられる前記底辺部１ａのパイプ材は、車輪１５の取付部位で切断し、対向した切断開口部Ｃｆに、図１５に示した例では車輪両面の軸１５ｂを保持する短管状の軸受部材Ｓｒが嵌合されている。
嵌合された左右の軸受部材Ｓｒに車輪両面の軸１５ｂを挿入し、挿入状態をパイプ材の外からねじ込む固定ビスＢｉによって固定することにより、車輪１５が底辺部１ａに回転自在に取付けられる。なお、車輪１５の軸１５ｂの外径と底辺部１ａのパイプ材の内径が同じであれば軸受部材Ｓｒは不要である。
【００１７】
上記のように主脚部材１Ｒの底辺部１ａのパイプ材を切断して軸付き車輪１５をキャスタとして設けたから、パイプ材の切断線が見えず車輪１５の取付け方も外部からでは判らないので、外観上きわめて斬新なキャスタ取付態様の印象を与える。
【００１８】
図１〜図３のキャスタ付きホワイトボード装置においては、ボード本体１０は、その左右の側縁辺と上部の側縁辺とが、２本の平行なパイプ材により形成されたアッパーフレーム１１ａと左右のサイドフレーム１１ｂ，１１ｃによって囲まれている。前記フレーム１１ａ〜１１ｃのパイプ材は、上記脚装置のパイプ材と同径のパイプ材である。
【００１９】
ここで、前記アッパーフレーム１１ａは、ボード本体１０の上縁１０ａに結合して該本体１０を吊下げ状に支持する断面大略Ｔ状の支持部材１２を上面から被せて支持部材１２と一体化されている。
【００２０】
左右のサイドフレーム１１ｂ，１１ｃは、前記脚部材１，２の上端の垂直部１ｄ，１ｅから垂直に延びた2本のパイプ材の上端部が水平方向に曲げられた左右フレーム１１ｂ、１１ｃの上位接続部１１０ｂ，１１０ｃにおいて、前記接続部１１０ｂ，１１０ｃとアッパーフレーム１１ａに接続されている。
この部の接続は、図５に概要を示したように、両部のパイプ材に挿嵌される丸鋼棒（又は、丸管）による接続用芯材Ｊｍをビス止めＢｉ又は溶接Ｂｅ若しくはこれらの併用によって前記アッパフレーム１１ａとサイドフレーム１１ｂ（１１ｃ）のパイプ材が接続されている。この接続部は前記支持部材１２の内側に位置するから外部に接続線Ｃｌが露出しない。
【００２１】
左右のサイドフレーム１１ｂ，１１ｃの下端側は、脚部材１Ｒ，１Ｌの垂直部１ｄ，１ｅとの接続部１１１ｂ，１１１ｃの少し上方において、ボード本体１０の下端部１０ｂの内部を貫通した下部支持体１３の長さ方向の両端部に形成された平面視略Ｔ状の結合部１３ａ，１３ｂで左右のサイドフレーム１１ｂ，１１ｃに結合されている。
【００２２】
先にも述べたが、第２主脚部材１Ｌは、上述の主脚部材１における左右の斜辺部１ｂ，１ｃと同様の斜辺部１ｂ，１ｃを備えるが、底辺部１ａは有しない。このため第２主脚部材１Ｌは、その垂直部１ｄ，１ｅより低い位置の斜辺部１ｂ，１ｃの上部に、平面視略凹状の移動用ハンドルを兼用する結合部材１４を備えている。なお、上記の脚付きフレームＦＬは、第２主脚部材１Ｌを用いず、左右の脚部材とも底辺部１ａを有する主脚部材１Ｒを用いてもよい。
本発明によれば、家具の左右側における一方側に車輪１５を備えた脚（１Ｒ）を配置すると共に、他方側に、当該家具のその位置への固定を担っている脚（１Ｌ）を配置し、該脚（１Ｌ）に、前記車輪１５をころがり回転させるための移動用ハンドル１４を設けたことにより、ハンドル１４を設けた脚（１Ｌ）をそのハンドル１４で持ち上げるだけで家具の前記車輪１５の転がりによる移動を容易に行ことができる。
上記を換言すると、本発明家具は、左右いずれか一方の脚で家具の固定を担い、もう一方の脚で家具の移動を担う構造を備えたものである。この場合において、左右の脚は図示した形態に限られるものではない。例えば、家具の移動を担う脚のキャスタとして、上記のフレームに車輪１５が直に刺さったような形態のキャスタではない通常のキャスタ付きの脚を用いても、上記例と同等の効果が得られる。
【００２３】
上記のホワイトボード装置を構成するキャスタとなる車輪１５を有する脚付きフレームＬＦは、図６に示すように、フレームＬＦからボード本体１０を取り外してしまい、残った上部のアッパーフレーム１１ａと左右のサイドフレーム１１ｂ，１１ｃ等が形成する枠状体に、伸縮性の織布等Ｆａを張設したり被せたりした形態のキャスタ付きスクリーンやパーティションＳＰに展開することが出来る。
【００２４】
なお、本発明では、前記脚装置やフレーム使用された細いパイプ材を貫通した中空部を利用すると、床又は天板等からの配線を、外部に露出させることなく天板又は床等の上にスマートな形態で導くことができる。
【００２５】
図７、図８は、上記ホワイトボードやパーティションのフレームＬＦで用いた第２主脚部材１Ｌをテーブルの脚装置に応用した図である。
図７において、天板１７には、その左右側の下面に、図１〜図３で説明したホワイトボード装置のフレームＬＦにおける第２主脚部材１Ｌと同じ左右の斜辺部１ｂ，１ｃと垂直部１ｄ，１ｅを有する２つの天板用脚部材Ｌ１とＬ２が配置され、この脚部材Ｌ１，Ｌ２によって下から支持されている。
【００２６】
左右の脚部材Ｌ１，Ｌ２において、天板１７の前方側に位置した左右双方の斜辺部１ｃと１ｃは、その下端部が、天板１７に平行なパイプ材による連結部材１８によって結合一体化され、かつ、連結部材１８に、図１〜図３のパネル家具と同じ車輪１５の２個が架装されている。１９は天板１８の前端縁から垂下させた幕部材である。
【００２７】
図７のテーブルは、その天板１７を、天板下面に設けられた脚装置の取付ベース２０に対して起伏自在に設けると、不使用時には天板１７を起立させて収納場所に車輪１５を使って容易に移動させることができる。
図６のスクリーンやパーティションＳＰの脚に設けた車輪１５、図７，図８のテーブルの脚に設けた車輪１５の取付形態は、いずれも図４で説明した取付けと同じ態様である。
【００２８】
本発明は以上の通りであるから、細いパイプ材を用いた脚装置を備えた家具の取付態様が斬新なキャスタを有する家具を提供することができる。
【符号の説明】
【００２９】
１Ｒ  主脚部材
１Ｌ  第２主脚部材
１ａ  底辺部
１ｂ，１ｃ  斜辺部
１ｄ，１ｅ  垂直部
ＦＬ  脚付きフレーム
１１ａ  アッパフレーム
１１ｂ，１１ｃ  サイドフレーム
１２  上部部材
１３  下部支持体
１４ハンドル兼用の結合部材
１５  車輪
【図１】
0006685103.tif 000002
【図２】
0006685103.tif 000003
【図３】
0006685103.tif 000004
【図４】
0006685103.tif 000005
【図５】
0006685103.tif 000006
【図６】
0006685103.tif 000007
【図７】
0006685103.tif 000008
【図８】
0006685103.tif 000009